(57)【要約】      （修正有） 【課題】屋根上での作業性に優れた屋根上架台装置を提供する。  【解決手段】キャッチャー５は、縦桟３を挿通する挿通部５１ｂ、及び挿通部から突出して横桟に形成された底壁６２の一方の端部を係止する突出片５１ａをもつ保持部材５２と、横桟の底壁の他方の端部を係止する係止片５２ａ及び挿通部に保持される被保持部５２ｂをもつ止め部材５２と、止め部材の保持部との間で縦桟を挟持する押圧部材とを有する。保持部材の突出片と止め部材の係止片とで横桟を挟持して、ボルト５３を、止め部材の保持部に形成された孔並びに保持部材の挿通部及び押圧部材に形成された孔とに挿通し、押圧部材に固定されたナットに締め付けることにより、キャッチャーを縦桟に固定するとともに、キャッチャーを横桟に固定する。折半屋根の場合、縦桟の下に横ラックを介在させて折半屋根材に固定してもよい。【選択図】図２
0003160551.tif 000002
【実用新案登録請求の範囲】
【請求項１】
屋根上に配置され、屋根の一方向に延びる縦桟と、屋根の該一方向と直交する方向に延びる横桟とを井桁状に組み合わせて該縦桟と該横桟とをキャッチャーで固定してなる屋根上架台装置であって、
前記キャッチャーは、前記縦桟を挿通する筒状の挿通部、及び該挿通部から突出して前記横桟に形成された底壁の一方の端部を係止する突出片をもつ保持部材と、該横桟の該底壁の他方の端部を係止する係止片及び該挿通部に保持される被保持部をもつ止め部材と、該止め部材の該被保持部との間で該縦桟を挟持する押圧部材とを有し、
前記保持部材の前記突出片と前記止め部材の前記係止片とで前記横桟の前記底壁を挟持して、該止め部材の前記被保持部、該保持部材の前記挿通部、前記縦桟及び前記押圧部材にそれぞれ形成された孔にボルトを挿通し、該押圧部材に固定されたナットで締め付けることを特徴とする屋根上架台装置。
【請求項２】
前記止め部材の前記保持部に形成された前記孔部は、丸孔である請求項１に記載の屋根上架台装置。
【請求項３】
更に、前記屋根材に固定され前記縦桟の下側に配置されて前記縦桟の延び方向と交差する方向に延びる横ラックを備え、
前記横ラックは、該横ラックの延び方向に長いスリットをもち、
前記縦桟は、前記横ラックに対して、支持板、薄板、対向板及びラックボルトからなる固定具により固定されており、
前記支持板は、前記横ラックの前記スリットの下側に配置されており、
前記薄板は、前記横ラックの前記スリットの上側に配置されており、
前記対向板は、前記横ラック上に配置された前記縦桟の上側に配置されており、
前記ラックボルトは、前記支持板に形成された孔、前記横ラックの前記スリット及び前記薄板に形成された孔、前記縦桟に形成された縦桟穴、前記対向板に形成された孔及び締結ナットに挿通されて、該締結ナットで締め付けられている請求項１又は請求項２に記載の屋根上架台装置。
【請求項４】
前記薄板に形成された孔の内周面には、雌ネジ部が形成されている請求項３に記載の屋根上架台装置。
【請求項５】
前記対向板と前記締結ナットとの間には、スプリングワッシャーが介在しており、
２つの前記締結ナットで前記ラックボルトを締結している請求項３又は請求項４に記載の屋根上架台装置。
【請求項６】
前記横ラックは、該横ラックの延び方向に長く開口する長穴をもち、該長穴の所定の位置に、前記屋根材から突出する突出ボルトを締結する請求項３乃至請求項５のいずれか１項に記載の屋根上架台装置。
【請求項７】
前記縦桟穴は、前記縦桟の延び方向に延びる長穴である請求項３乃至請求項６のいずれか１項に記載の屋根上架台装置。
【請求項８】
前記屋根材は、和瓦、洋瓦などの瓦材であり、
更に、瓦屋根の垂木間に架設され、長手方向に延びる係止スリットをもつ複数の基盤プレートと、頭部が該基盤プレートの該係止スリットに固定されねじ部が瓦の頂部から突出した支柱ボルト群を備え、
該支柱ボルト群の各ネジ部には、該瓦から浮いた状態で前記縦桟及び前記横桟が固定されている請求項１又は請求項２に記載の屋根上架台装置。
【請求項９】
前記支柱ボルトは、前記基盤プレートの前記係止スリットの下側に位置する前記頭部と該スリットを貫通した前記ねじ部に螺合したナットとで該基盤プレートを挟持することにより固定される請求項８記載の屋根上架台装置。
【請求項１０】
前記ラックは、前記支柱ボルトの前記ねじ部が挿通される貫通孔をもち、該ラックは該ねじ部に螺合した２個のナット間に固定保持される請求項８又は請求項９に記載の屋根上架台装置。
【考案の詳細な説明】
【技術分野】
【０００１】
本考案は、縦桟と横桟とを井桁状に組み合わせてなる屋根上架台装置に関する。
【背景技術】
【０００２】
従来、屋根の上に太陽光発電パネルを設置するに当たっては、特許文献１に示されているように、屋根材の上に、屋根の流れ方向に延びる縦桟を固定し、縦桟の上に屋根の桁行方向に延びる横桟を配置して縦桟と横桟とを井桁状に組み合わせて、横桟に太陽光発電パネルを固定していた。縦桟に横桟を固定するにあたっては、保持部材に縦桟を挿通保持させ、保持部材から突出する突出片と、止め部材の係止片とで横桟を挟持することで、縦桟に横桟を固定している。
【先行技術文献】
【特許文献】
【０００３】
【特許文献１】実用新案登録第３１５１８３６号公報
【考案の概要】
【考案が解決しようとする課題】
【０００４】
本考案者は、屋根上での作業性を向上させるため、特許文献１の屋根上架台装置に更に改良を加えて、新規な屋根上架台装置を開発した。
【０００５】
本発明はかかる事情に鑑みてなされたものであり、屋根上での作業性に優れた屋根上架台装置を提供することを課題とする。
【課題を解決するための手段】
【０００６】
（１）本考案の屋根上架台装置は、屋根上に配置され、屋根の一方向に延びる縦桟と、屋根の該一方向と直交する方向に延びる横桟とを井桁状に組み合わせて該縦桟と該横桟とをキャッチャーで固定してなる屋根上架台装置であって、
前記キャッチャーは、前記縦桟を挿通する筒状の挿通部、及び該挿通部から突出して前記横桟に形成された底壁の一方の端部を係止する突出片をもつ保持部材と、該横桟の該底壁の他方の端部を係止する係止片及び該挿通部に保持される被保持部をもつ止め部材と、該止め部材の該被保持部との間で該縦桟を挟持する押圧部材とを有し、
前記保持部材の前記突出片と前記止め部材の前記係止片とで前記横桟の前記底壁を挟持して、該止め部材の前記被保持部、該保持部材の前記挿通部、前記縦桟及び前記押圧部材にそれぞれ形成された孔にボルトを挿通し、該押圧部材に固定されたナットで締め付けることを特徴とする。
【０００７】
上記構成によれば、キャッチャーの押圧部材と止め部材との間に保持部材の挿通部及び縦桟を配置してボルトとナットで締め付けることにより、押圧部材及び止め部材によって横桟及び挿通部が挟持押圧されている。このため、キャッチャーは、縦桟に確実に固定される。
【０００８】
また、止め部材の係止片と保持部材の突出片との間に、横桟が配置されている。ボルト締結によって係止片が横桟を保持部材の挿通部に押しつけるため、横桟は挿通部上で係止片と突出片とによって確実に挟持固定される。このように、キャッチャーにより、縦桟に横桟が確実に固定される。
【０００９】
また、ボルトの締結によって、キャッチャーに対して縦桟及び横桟が確実に固定されるため、屋根上での作業性に優れている。
【００１０】
（２）前記止め部材の前記保持部に形成された前記孔部は、丸孔であることが好ましい。
【００１１】
ボルトを締結することにより止め部材が保持部材に対して位置決め固定される。ゆえに、止め部材の係止片と保持部材の突出片との間の距離が定まり、係止片と突出片とで横桟を確実に固定することができる。
【００１２】
（３）更に、前記屋根材に固定され前記縦桟の下側に配置されて前記縦桟の延び方向と交差する方向に延びる横ラックを備え、前記横ラックは、該横ラックの延び方向に長いスリットをもち、前記縦桟は、前記横ラックに対して、支持板、薄板、対向板及びラックボルトからなる固定具により固定されており、前記支持板は、前記横ラックの前記スリットの下側に配置されており、前記薄板は、前記横ラックの前記スリットの上側に配置されており、前記対向板は、前記横ラック上に配置された前記縦桟の上側に配置されており、前記ラックボルトは、前記支持板に形成された孔、前記横ラックの前記スリット及び前記薄板に形成された孔、前記縦桟に形成された縦桟穴、前記対向板に形成された孔及び締結ナットに挿通されて、該締結ナットで締め付けられていることが好ましい。
【００１３】
縦桟は、固定具を用いて横ラックに固定されている。横ラックは、延び方向に長いスリットをもち、横ラックに縦桟を組み付けるときには、スリットに沿って固定具をスライドさせることができる。ゆえに、縦桟をスリットのいずれの位置にも配置固定することができ、縦桟の位置調整を自在に行うことができる。
【００１４】
また、固定具は、スリットを挟んで互いに対向する位置に配置される支持板と薄板とをもち、支持板と薄板とは、ラックボルトによって連携されている。支持板と薄板との間に横ラックを係止させて、スリットに沿ってスライドさせる。これにより、横ラックに対する縦桟の位置を簡易に調整することができる。
【００１５】
（４）前記薄板に形成された孔の内周面には、雌ネジ部が形成されていることが好ましい。
【００１６】
この場合には、薄板をラックボルトに対して回転させることにより、薄板をラックボルトの脚部の任意な位置に配置させて、支持板との間の間隔を適宜調整することができる。また、支持板と薄板との間に所定の間隔を隔てた状態で、支持板、薄板及びラックボルトを、横ラックのスリットに係止させる。ラックボルトは、薄板の孔の雌ネジ部に螺着しているため、手を離しても薄板の孔や支持板の孔から脱落せず、また支持板と薄板との間の間隔も変化しない。ゆえに、ラックボルトの横ラックへの位置調整作業が容易となる。
【００１７】
（５）前記対向板と前記締結ナットとの間には、スプリングワッシャーが介在しており、２つの前記締結ナットで前記ラックボルトを締結していることが好ましい。
【００１８】
締結ナットをラックボルトに締め付けたときにスプリングワッシャーの弾性力によって確実にラックボルトが締め付けられる。また、締結ナットを２つ重ねて締め付けることにより、取り付け後に長期間経過した後でも締結ナットが緩むことを防止することができる。
【００１９】
（６）前記横ラックは、該横ラックの延び方向に長く開口する長穴をもち、該長穴の所定の位置に、前記屋根材から突出する突出ボルトを締結することが好ましい。
【００２０】
屋根材から突出する突出ボルトを、横ラックに形成された長穴に挿入して、横ラックを長穴に沿って移動させる。これにより、突出ボルトに対して横ラックを任意な位置に設置することができる。
【００２１】
また、縦桟は、横ラックと交差する方向に延びるように横ラックに固定される。縦桟と、横ラックとは、必ずしも直交させなくてもよく、任意な角度で配置することができる。ゆえに、縦桟及び横桟に対する横ラックの取付角度を考慮することなく、横ラックを任意な方向に取り付けることができる。従って、横ラックの取付作業が容易となる。
【００２２】
（７）前記縦桟穴は、前記縦桟の延び方向に延びる長穴であることが好ましい。
【００２３】
この場合には、縦桟を、長穴の任意な位置で横ラックに固定することができる。縦桟の取付位置の調整が容易で、作業性が向上する。
【００２４】
（８）前記屋根材は、和瓦、洋瓦などの瓦材であり、
更に、瓦屋根の垂木間に架設され、長手方向に延びる係止スリットをもつ複数の基盤プレートと、頭部が該基盤プレートの該係止スリットに固定されねじ部が瓦の頂部から突出した支柱ボルト群を備え、
該支柱ボルト群の各ネジ部には、該瓦から浮いた状態で前記縦桟及び前記横桟が固定されていることが好ましい。
【００２５】
支柱ボルト群は、垂木間に架設された基盤プレートの係止スリットに固定され、瓦から浮いた状態で縦桟と横桟とを井桁状に支持する。従って、瓦に荷重を与える部材がなく、屋根の骨格たる垂木で屋根上架台装置を取り付けた構造となり、極めて設置強度を高くすることができる。
【００２６】
垂木は等間隔に配置されている。基盤プレートは隣接する２個の垂木間に固定される。また、基盤プレートの係止スリットは基盤プレートの長手方向に延びる。すなわち、係止スリットは基盤プレートが固定される隣設する２本の垂木を結ぶ方向に延びる。従って、基盤プレートの固定される垂木の位置および支柱ボルトが係止される係止スリットの位置を、瓦の頂部に形成された支柱ボルトが貫通する貫通孔に合わせ、その貫通孔を通して支柱ボルトを固定できる。
【００２７】
（９）前記支柱ボルトは、前記基盤プレートの前記係止スリットの下側に位置する前記頭部と該スリットを貫通した前記ねじ部に螺合したナットとで該基盤プレートを挟持することにより固定されることが好ましい。
【００２８】
（１０）前記ラックは、前記支柱ボルトの前記ねじ部が挿通される貫通孔をもち、該ラックは該ねじ部に螺合した２個のナット間に固定保持されることが好ましい。支柱ボルトのねじ部に螺合された２個のナットにより、各支柱ボルトへの荷重が均等にかかるように縦桟と横桟の高さを調整でき、基本土台となる井桁状ラックの鋼性を確保しつつ、瓦屋根の平面的不均一性を吸収し、更には屋根上架台装置に取り付けられる太陽光発電パネルなどの器具の表面の均一性を達成している。
【考案の効果】
【００２９】
本考案の屋根上架台装置によれば、縦桟にキャッチャーを保持し、キャッチャーの押圧部材と止め部材との間に横桟を配置してボルトで締め付けている。このため、キャッチャーにより縦桟に横桟を確実に固定することができ、屋根上での作業性に優れている。
【図面の簡単な説明】
【００３０】
【図１】本発明の第１の実施形態に係る屋根上架台装置の斜視図である。
【図２】第１の実施形態に係る屋根上架台装置の展開斜視図である。
【図３】第１の実施形態に係る屋根上架台装置の断面図である。
【図４】図３の囲み線Ａ内の拡大断面図である。
【図５】図４のＢ−Ｂ矢視断面図である。
【図６】第２の実施形態に係る屋根上架台装置の斜視図である。
【図７】第２の実施形態に係る、横ラックの屋根上への取付方法を示すための、横ラック及び屋根材の斜視図である。
【図８】第２の実施形態の横ラックの底面説明図である。
【図９】図６のＣ−Ｃ矢視断面図である。
【図１０】第２の実施形態の、固定具の斜視図である。
【図１１】第２の実施形態の、縦桟の横ラックへの取付方法を示す説明図である。
【図１２】第３の実施形態に係る屋根上架台装置の斜視図である。
【図１３】第４の実施形態に係る、屋根上架台装置の固定方法を示す斜視図。
【図１４】第４の実施形態に係る、屋根上架台装置の固定方法を示す断面図。
【考案を実施するための形態】
【００３１】
（第１の実施形態）
本願の第１の実施形態に係る屋根上架台装置について図面を用いて説明する。図１に示すように、第１の実施形態に係る屋根上架台装置は、スレート屋根９に太陽光発電パネルを固定する架台装置である。スレート屋根９は、屋根の流れ方向に延びる垂木９５と、垂木９５上に敷設された野地板９４と、野地板９４の上に固定された屋根材としてのスレート９１とを有する。
【００３２】
図２に示すように、屋根上架台装置は、縦桟３と横桟６とを井桁状に組み合わせたものであり、これらは、ベースプレート１と支柱ボルト２とによってスレート屋根９に固定されており、縦桟３と横桟６との間はキャッチャー５で固定されている。
【００３３】
縦桟３は、四角形筒状の鋼材からなり、スレート屋根９の流れ方向Ｘに延び、スレート屋根９の桁行方向Ｙに複数本が並設されている。
【００３４】
横桟６は、スレート屋根９の桁行方向Ｙに延び、スレート屋根９の流れ方向Ｘに複数本が並設されている。横桟６は、アルミ材からなり、平面状の底壁６２と、底壁６２から立設する保持壁６１と、保持壁６１の下部に幅方向の外側に突出するフランジ部６３と、底壁６２とフランジ部６３との間に形成された溝部６４とからなる。図３に示すように、流れ方向Ｘに並設する複数の横桟６のうち、両端部に位置する横桟６は、１つの保持壁６１をもち、両端部に位置する横桟６の間に配列する横桟６は、互いに向かい合う一対の保持壁６１をもつ。
【００３５】
図２に示すように、ベースプレート１は、ステンレス、アルミニウムなどの金属製であり、平板部１０と、平板部１０の上に固定された１対のレール１１とを有する。ベースプレート１は、平板部１０及びスレート９１に形成されたビス孔１０ａ、９１ａにビス１４を螺着させることで、スレート屋根９に固定されている。一対のレール１１は、垂直部と上辺とからなる逆Ｌ字状で、これらは互いに向かい合っている。レール１１の上辺の間に形成されたスリット１３には、支柱ボルト２が挿通されている。
【００３６】
支柱ボルト２は、ベースプレート１のレール１１の上辺の下側と上側とに配置されたボトムナット２１と押えナット２２とで挟持することで、ベースプレート１に固定されている。支柱ボルト２の脚部の周面には雄ネジ部が形成されており、レベルナット２３が外嵌されていて、レベルナット２３を任意な高さに調整可能となっている。レベルナット２３の上には、円板状の平板座２４を介して縦桟３が載置されている。
【００３７】
縦桟３の上部には、縦桟３の延び方向の両端部まで開口するスリット３０が形成されている。また、縦桟３の下部には、縦桟３の延び方向に長く開口する長穴３１が形成されている。長穴３１の延び方向の任意な位置に、支柱ボルト２が配置されている。スリット３０から縦桟３の内部に入れた円盤状の平板座２５、スプリングワッシャー２６及びトップナット２７を、支柱ボルト２のネジ部に螺着させている。縦桟３は、レベルナット２３とトップナット２７とで締め付けられて、支柱ボルト２に確実に固定されている。
【００３８】
キャッチャー５は、鋼材からなり、保持部材５１と、止め部材５２と、押圧部材５５とを有する。保持部材５１は、縦桟３を挿通させた挿通部５１ｂと、挿通部５１ｂから上側に突出する突出片５１ａとからなる。挿通部５１ｂは、縦桟３の外形よりも若干大きい四角形筒形状をなしている。挿通部５１ｂの上壁には、厚み３ｍｍの平板形状のレベルプレート５４が接着固定されている。突出片５１ａは、挿通部５１ｂの端面上部を上方に逆Ｌ字形状に折り返して形成されている。
【００３９】
止め部材５２は、保持部材５１の挿通部５１ｂの上面に当接する平板状の被保持部５２ｂと、被保持部５２ｂの一端側を上方に屈曲させて形成された係止片５２ａとからなる。
【００４０】
図４に示すように、止め部材５２の係止片５２ａと、保持部材５１の突出片５１ａとの間には、横桟６が配置されており、係止片５２ａと突出片５１ａとは、横桟６の底壁６２の幅方向両側に形成された溝部６４に挿入されている。横桟６は、保持部材５１上に固定されたレベルプレート５４の上に載せられている。そして、レベルプレート５４と横桟６の幅方向の一端部は、保持部材５１の突出片５１ａと挿通部５１ｂの上壁との間の隙間に挿嵌されており、レベルプレート５４と横桟６の幅方向の他端部は、止め部材５２の係止片５２ａと挿通部５１ｂの上壁との間の隙間に挿嵌されている。
【００４１】
図４、図５に示すように、押圧部材５５は、保持部材５１の挿通部５１ｂの内部空間に設けられており、挿通部５１ｂの内部に挿嵌されている縦桟３の上壁の下面に当接している。そして、止め部材５２の被保持部５２ｂに形成された丸孔、保持部材５１の挿通部５１ｂの上壁に形成された丸孔、縦桟３の上壁に形成されたスリット３０及び押圧部材５５に形成された丸孔には、ボルト５３が挿入されていて、ボルト５３の下方先端は、押圧部材５５の下面に溶接固定されたナット５６に締め付けられている。ボルト５３をナット５６に対して締め付けることで、縦桟３に保持部材５１が確実に固定され、且つ保持部材５１に止め部材５２が確実に固定される。これにより、止め部材５２の係止片５２ａが横桟６及びレベルプレート５４の幅方向の他端部を押さえつけて、横桟６が突出片５１ａと係止片５２ａとの間で挟持固定される。
【００４２】
なお、図２に示すように、キャッチャー５の保持部材５１の側面には小孔５１ｅが形成されていて、小孔５１ｅにビス５１ｆを螺着することで、予備的にキャッチャー５が縦桟３に対して位置ずれすることを防止している。
【００４３】
図４に示すように、スレート屋根９の流れ方向Ｘで隣り合う一対の横桟６の保持壁６１に、太陽電池パネル４を保持させる。一対の保持壁６１の上には、カバー６６が配設されている。カバー６６は、横桟６よりも幅方向外側に突出して、太陽電池パネル４の上辺に当接して、太陽電池パネル４を横桟６の保持壁６１のフランジ部６３との間で挟持している。
【００４４】
カバー６６の幅方向の中央部には挿入凸部６６ａが突設されていて、一対の保持壁６１の間に形成された空間内に挿入嵌合されている。挿入凸部６６ａの先端は幅広く拡大していて、保持壁６１の上部内側に形成された溝部６１ｂに嵌合している。カバー６６は、挿入凸部６６ａを横桟６の延び方向の端部からはめ込むことで、保持壁６１の間の空間に挿嵌される。
【００４５】
本実施形態においては、キャッチャー５の押圧部材５６と止め部材５２との間に縦桟３を配置してボルト５３で締め付けることにより、押圧部材５６と止め部材５２の被保持部５２ｂとによって縦桟３が挟持押圧される。このため、キャッチャー５は、縦桟３に確実に固定される。
【００４６】
また、止め部材５２の係止片５２ａと保持部材５１の突出片５１ａとの間に、横桟６が配置されている。ボルト５３締結によって、係止片５２ａが横桟６を保持部材５１に押しつけるため、横桟６は保持部材５１上で係止片５２ａと突出片５１ａとによって確実に挟持固定される。
【００４７】
また、ボルト５３を締結することにより止め部材５２が保持部材５１に対して位置決め固定される。ゆえに、止め部材５２の係止片５２ａと保持部材５１の突出片５１ａとの間の距離が定まり、係止片５２ａと突出片５１ａとで横桟６を確実に固定することができる。
【００４８】
また、保持部材５１の上には、厚み３ｍｍのレベルプレート５４が載せられて、横桟６の搭載位置を保持部材５１よりも高くしている。このため、底壁６２及びフランジ部６３の厚みを薄くしつつ、太陽電池パネル４を、止め部材５２から突出しているボルト５３の頭部よりに高く位置させることができる。したがって、太陽電池パネル４がボルト５３に干渉することが防止される。
【００４９】
また、キャッチャー５の保持部材５１の挿通部５１ｂは、縦桟３の外形とほぼ同じ断面形状を有しているため、取付時に保持部材５１を縦桟３の延び方向に沿ってスライドさせることで、縦桟３の延び方向の任意な位置に設置することができる。ゆえに、種々の大きさの太陽電池パネル４の取付に対応でき、また取付作業性もよい。
【００５０】
（第２の実施形態）
第２の実施形態は、図６に示すように、折半屋根に太陽電池パネル４を取り付ける屋根上架台装置である。第２の実施形態は、折半屋根に縦桟３を取り付けるにあたって、折半屋根材９８に横ラック７を固定し、横ラック７に固定具８を用いて縦桟３を固定している点が、第１の実施形態と相違する。
【００５１】
図７に示すように、折半屋根の屋根材は、断面凹凸形状をもつ折半屋根材９８である。折半屋根材９８は、屋根の鉄骨材９７に溶接固定されたタイトフレーム９９に突出ボルト２９で固定されている。突出ボルト２９の脚部は、折半屋根材９８の凸部９８ａに形成された孔９８ｂから突出していて、この脚部に横ラック７が固定されている。
【００５２】
横ラック７は、折半屋根の桁行方向Ｙに延びている。横ラック７の断面は、上方に開口するＣ字形状を呈している。横ラック７の上部には、延び方向の両端部まで開口するスリット７０が形成され、また横ラック７の下部には、図８に示すように、延び方向に延びる長穴７１が形成されている。
【００５３】
折半屋根材９８から突出する突出ボルト２９は、その頭部２９ａを下側に向けて、脚部２９ｂを、横ラック７の長穴７１に挿入して、長穴７１の延び方向の任意な位置に配置させる。脚部２９ｂには、更に、平板座２５、スプリングワッシャー２６及びトップナット２７を嵌挿して、トップナット２７を締め付けることにより、タイトフレーム９６及び折半屋根材９８に横ラック７が固定される。
【００５４】
図９に示すように、横ラック７には、固定具８を用いて縦桟３が固定されている。固定具８は、支持板８１、薄板８２、対向板８４及びラックボルト８３を備えている。図９、図１０に示すように、支持板８１は、鋼性をもつ略四角形板状の鋼板からなり、支持板８１は、横ラック７の内部空間の幅よりも若干小さい大きさである。薄板８２は、支持板８１とほぼ同じ大きさの四角形状を呈しており、非常に薄い鋼板であり、外力によってたわみやすい性質をもつ。薄板８２の一端には、横ラック７のスリット７０に挿入しやすいように、テーパ上に傾斜するガイド部８２ａが形成されている。
【００５５】
図１０，図１１に示すように、対向板８４は、薄板８２と同じ大きさの四角形状をなし、鋼性をもつ鋼板である。ラックボルト８３は、支持板８１、薄板８２、対向板８４に形成された丸孔に挿入され、更に、座金８５、スプリングワッシャー８６、２つの締結ナット８７，８８に挿入されている。締結ナット８７，８８を締め付けることにより、支持板８１と薄板８２との間で横ラック７の上壁が挟持固定されているとともに、薄板８２と対向板８４との間で縦桟３の底壁が挟持固定されている。
【００５６】
固定具８で横ラック７に縦桟３を固定するにあたっては、ラックボルト８３の脚部を、支持板８１及び薄板８２に形成された孔に挿入し、支持板８１と薄板８２との間に若干隙間をあける。薄板８２に形成された孔の内周面には、雌ネジが形成されているため、薄板８２をラックボルト８３に対して回転させることにより、薄板８２をラックボルト８３の脚部の任意な位置に配置させて、支持板８１との間の間隔を適宜調整することができる。このように支持板８１と薄板８２との間に所定の間隔を隔てた状態で、支持板８１、薄板８２及びラックボルト８３を、横ラック７の端部からスリット７０に係止させる。ラックボルト８３は、薄板８２の孔の雌ネジ部に螺着しているため、手を離しても薄板８２の孔や支持板８１の孔から脱落せず、また支持板８１と薄板８２との間の間隔も変化しない。
【００５７】
そして、横ラック７のスリット７０の周縁の下面には支持板８１が、スリット７０の周縁の上面には薄板８２が配置される。支持板８１と薄板８２とは、ラックボルト８３で連携された状態で、スリット７０の延び方向にスライドさせてスリット７０の任意な位置に設置し、その設置位置で薄板８２を回転させて薄板８２を横ラック７のスリット７０周縁に締め付ける。これにより、ラックボルト８３が、横ラック７の任意な位置に固定される。
【００５８】
次に、薄板８２から上方に向けて突出するラックボルト８３の脚部を、対向板８４に形成された孔に挿入し、更に、座金８５、スプリングワッシャー８６、２つの締結ナット８７，８８に挿入する。２つの締結ナット８７，８８を締め付けることにより、支持板８１と薄板８２との間で横ラック７の上壁が挟持固定されているとともに、薄板８２と対向板８４との間で縦桟３の底壁が挟持固定されている。このようにして、固定具８により、縦桟３が横ラック７に固定される。
【００５９】
図６に示すように、縦桟３にはキャッチャー５が固定されている。キャッチャー５は、横桟６を固定し、横桟６の保持壁６１に図略の太陽電池パネルが保持されている。これら縦桟３、キャッチャー５、横桟６及び太陽電池パネルの構成は、第１の実施形態と同様である。
【００６０】
第２の実施形態においては、縦桟３は、固定具８を用いて横ラック７に固定されている。横ラック７の上壁は、延び方向に長いスリット７０をもち、横ラック７に縦桟３を組み付けるときには、スリット７０に沿って固定具８のラックボルト８３、支持板８１及び薄板８２をスライドさせることができる。ゆえに、縦桟３をスリット７０のいずれの位置にも配置固定することができ、縦桟３の位置調整を自在に行うことができる。
【００６１】
また、固定具８は、スリット７０を挟んで互いに対向する位置に配置される支持板８１と薄板８２とをもち、支持板８１と薄板８２とは、ラックボルト８３によって連携されている。支持板８１と薄板８２との間に横ラック７のスリット７０の周縁を係止させて、スリット７０に沿ってスライドさせる。これにより、横ラック７に対する縦桟３の位置を任意に且つ簡易に設定することができる。
【００６２】
また、締結ナット８７，８８を締め付けたときにスプリングワッシャー８６の弾性力によって確実にラックボルト８３が締め付けられる。また、締結ナット８７，８８を２つ重ねて締め付けることにより、取り付け後に長期間経過した後でも締結ナット８７，８８が緩むことを防止することができる。
【００６３】
横ラック７には、長穴７１が形成されている。この長穴７１に折半屋根材９８から突出する突出ボルト２９を挿入して、横ラック７を長穴７１に沿って移動させる。これにより、ラックボルト８３に対して横ラック７を任意な位置に設置することができる。
【００６４】
また、図６に示すように、縦桟３は、横ラック７と交差する方向に延びるように横ラック７に固定されている。横ラック７は、縦桟３に対して必ずしも直交させなくてもよい。
【００６５】
縦桟３には長穴３１が形成されており、この長穴３１にラックボルト８３の脚部を挿入し、任意な位置に移動させる。これにより、縦桟３を、長穴３１の任意な位置で横ラック７に固定することができる。縦桟３の取付位置の調整が容易で、作業性が向上する。
【００６６】
（第３の実施形態）
第３の実施形態においては、図１２に示すように、コンクリート屋根に横ラック７を固定した点が、第２の実施形態と相違する。コンクリート屋根は、屋根材としてのコンクリート材９７と、コンクリート材９７から立設された図略のアンカーボルトとをもつ。アンカーボルトには、第２の実施形態の折半屋根材９８から突出する突出ボルト２９と同様に、平板座２５，ワッシャー２６，トップナット２７を用いて横ラック７が締め付け固定されている（図７参照）。横ラック７には、第２の実施形態と同様に、固定具８を用いて縦桟３が固定され、縦桟３の上にはキャッチャー５を用いて横桟６が固定されている。
【００６７】
コンクリート屋根の場合には、アンカーボルトの立設位置にズレが生じる場合があり、この場合、図１２の２点鎖線に示すように、横ラック７の延び方向が横桟６と平行にならないときがある。ここで、縦桟３は、横ラック７にアンカーボルト、平板座２５，ワッシャー２６，トップナット２７を用いて締め付け固定されている（図７参照）。このため、横ラック７の縦桟３に対する角度は、任意に調整できる。従って、横ラック７の延び方向は、縦桟３に直交させる必要はなく、また横桟６に平行にする必要もない。ゆえに、横ラック７を任意な向きに設置することができ、取付作業が容易となる。
【００６８】
（第４の実施形態）
第４の実施形態は、図１３に示すように、瓦屋根に、基盤プレート１６を用いて、縦桟３と横桟６とからなる屋根上架台装置を固定している。基盤プレート１６は、瓦屋根の垂木９５間の間隔にほぼ一致した長さのプレート材であって、瓦９６と垂木９５との間の野地板９４上に載置されて、両端部が隣接する垂木９５にくぎ又は木ねじ１８によりそれぞれ固定されている。瓦９６は、屋根材であり、どの様式の瓦であっても良く、例えば、和瓦、洋瓦などである。
【００６９】
基盤プレート１６には、中央に係止スリット１９が開設されている。係止スリット１９は、基盤プレート１６の延び方向と同様に、屋根の桁方向Ｙに延びている。係止スリット１９には、図１４に示すように、支柱ボルト２の下端の固定ボルト２１が押えナット２２との締め合わせで固定されている。この場合、支柱ボルト２は、瓦９６の頂部に予め穿孔した貫通孔Ｐから上部側が突出するように、係止スリット１９上の位置が調整されている。なお、貫通孔Ｐには、雨水浸入防止用のコーキング材２０が封栓してある。
【００７０】
支柱ボルト２の上部のねじ部２ａは、第１の実施形態と同様に、縦桟３を貫通し、縦桟３をねじ部２ａに螺合した上下２個のレベルナット２３とトップナット２７によって挟持しており、縦桟３とレベルナット２３との間には平板座２４が介装され、縦桟３とトップナット２７との間には平板座２５及びワッシャー２６が介装されている（図２参照）。なお、縦桟３と平板座２４との間には、更に、ゴムなどの振動吸収材を介装してもよい。
【００７１】
レベルナット２３、トップナット２７は、第１の実施形態と同様に、縦桟３の高さ調整手段を構成している。縦桟３には、第１の実施形態と同様に、キャッチャー５を用いて横桟６が井桁状に固定されており、横桟６には太陽光発電パネルが固定されている。
【００７２】
第４の実施形態においては、支柱ボルト２を瓦材９６から突出させるために、瓦材９６に穿設しているが、支柱ボルト２の位置を瓦材９６の頂部に合わせて係止スリット１９上で横方向に調整できるので、貫通孔Ｐは、瓦材９６の頂部に形成できる。
【００７３】
更に、支柱ボルト２の上部に２個のレベルナット２３とトップナット２７とを設けて縦桟３を固定しているため、各支柱ボルト２への荷重が均等にかかるように縦桟３及び横桟６の高さを調整でき、基本土台となる縦桟３及び横桟６の剛性を確保できる。これにより、屋根瓦の平面的均一性を吸収し、太陽光発電パネル４の表面の平面状態を良好とすることができる。
【符号の説明】
【００７４】
１：ベースプレート、２：支柱ボルト、３：縦桟、４：太陽電池パネル、５：キャッチャー、６：横桟、７：横ラック、８：固定具、９：スレート屋根、１０：平板部、１１：レール、１４：ビス、１５：スペーサ、１６：基盤プレート、１９：スリット、２０：コーキング材、２１：ボトムナット、２２：押えナット、２３：レベルナット、２４、２５：平板座、２６：ワッシャー、２７：トップナット、２９：突出ボルト、３０：スリット、３１：長穴、５１：保持部材、５１ａ：挿通部、５２ｂ：突出片、５２：止め部材、５２ａ：係止片、５２ｂ：保持部、５３：ボルト、５４：レベルプレート、５５：押圧部材、５６：ナット、６１：保持壁、６２：底壁、６３：フランジ部、６４：溝部、６６：カバー、７０：スリット、７１  長穴、８３：ラックボルト、８１：支持板、８２：薄板、８４：対向板、８５：平ワッシャー、８６：スプリングワッシャー、８７、８８：締結ナット、９４：野地板、９５：垂木、９８：折半屋根材、９９：タイトフレーム
【図１】
0003160551.tif 000003
【図２】
0003160551.tif 000004
【図３】
0003160551.tif 000005
【図４】
0003160551.tif 000006
【図５】
0003160551.tif 000007
【図６】
0003160551.tif 000008
【図７】
0003160551.tif 000009
【図８】
0003160551.tif 000010
【図９】
0003160551.tif 000011
【図１０】
0003160551.tif 000012
【図１１】
0003160551.tif 000013
【図１２】
0003160551.tif 000014
【図１３】
0003160551.tif 000015
【図１４】
0003160551.tif 000016
【手続補正書】
【提出日】平成22年4月28日(2010.4.28)
【手続補正１】
【補正対象書類名】実用新案登録請求の範囲
【補正対象項目名】全文
【補正方法】変更
【補正の内容】
【実用新案登録請求の範囲】
【請求項１】
屋根材を設けてなる屋根の上に配置され、屋根の一方向に延びる縦桟と、屋根の該一方向と直交する方向に延びる横桟とを井桁状に組み合わせて該縦桟と該横桟とをキャッチャーで固定してなる屋根上架台装置であって、
前記キャッチャーは、前記縦桟を挿通する筒状の挿通部、及び該挿通部から突出して前記横桟に形成された底壁の一方の端部を係止する突出片をもつ保持部材と、該横桟の該底壁の他方の端部を係止する係止片及び該挿通部に保持される被保持部をもつ止め部材と、該止め部材の該被保持部との間で該縦桟を挟持する押圧部材とを有し、
前記保持部材の前記突出片と前記止め部材の前記係止片とで前記横桟の前記底壁を挟持して、該止め部材の前記被保持部、該保持部材の前記挿通部、前記縦桟及び前記押圧部材にそれぞれ形成された孔にボルトを挿通し、該押圧部材に固定されたナットで締め付けることを特徴とする屋根上架台装置。
【請求項２】
前記止め部材の前記被保持部に形成された前記孔は、丸孔である請求項１に記載の屋根上架台装置。
【請求項３】
更に、前記屋根材に固定され前記縦桟の下側に配置されて前記縦桟の延び方向と交差する方向に延びる横ラックを備え、
前記横ラックは、該横ラックの延び方向に長いスリットをもち、
前記縦桟は、前記横ラックに対して、支持板、薄板、対向板及びラックボルトからなる固定具により固定されており、
前記支持板は、前記横ラックの前記スリットの下側に配置されており、
前記薄板は、前記横ラックの前記スリットの上側に配置されており、
前記対向板は、前記横ラック上に配置された前記縦桟の上側に配置されており、
前記ラックボルトは、前記支持板に形成された孔、前記横ラックの前記スリット及び前記薄板に形成された孔、前記縦桟に形成された縦桟穴、前記対向板に形成された孔及び締結ナットに挿通されて、該締結ナットで締め付けられている請求項１又は請求項２に記載の屋根上架台装置。
【請求項４】
前記薄板に形成された孔の内周面には、雌ねじ部が形成されている請求項３に記載の屋根上架台装置。
【請求項５】
前記対向板と前記締結ナットとの間には、スプリングワッシャーが介在しており、
２つの前記締結ナットで前記ラックボルトを締結している請求項３又は請求項４に記載の屋根上架台装置。
【請求項６】
前記横ラックは、該横ラックの延び方向に長く開口する長穴をもち、該長穴の所定の位置に、前記屋根材から突出する突出ボルトを締結する請求項３乃至請求項５のいずれか１項に記載の屋根上架台装置。
【請求項７】
前記縦桟穴は、前記縦桟の延び方向に延びる長穴である請求項３乃至請求項６のいずれか１項に記載の屋根上架台装置。
【請求項８】
前記屋根材は、和瓦、洋瓦などの瓦材であり、
更に、瓦屋根の垂木間に架設され、長手方向に延びる係止スリットをもつ複数の基盤プレートと、頭部が該基盤プレートの該係止スリットに固定されねじ部が瓦の頂部から突出した支柱ボルト群を備え、
該支柱ボルト群の各ねじ部には、該瓦から浮いた状態で前記縦桟及び前記横桟が固定されている請求項１又は請求項２に記載の屋根上架台装置。
【請求項９】
前記支柱ボルトは、前記基盤プレートの前記係止スリットの下側に位置する前記頭部と該係止スリットを貫通した前記ねじ部に螺合したナットとで該基盤プレートを挟持することにより固定される請求項８記載の屋根上架台装置。
【請求項１０】
前記縦桟は、前記支柱ボルトの前記ねじ部が挿通される貫通孔をもち、該縦桟は該ねじ部に螺合した２個のナット間に固定保持される請求項８又は請求項９に記載の屋根上架台装置。
【手続補正２】
【補正対象書類名】明細書
【補正対象項目名】０００６
【補正方法】変更
【補正の内容】
【０００６】
（１）本考案の屋根上架台装置は、屋根材を設けてなる屋根の上に配置され、屋根の一方向に延びる縦桟と、屋根の該一方向と直交する方向に延びる横桟とを井桁状に組み合わせて該縦桟と該横桟とをキャッチャーで固定してなる屋根上架台装置であって、
前記キャッチャーは、前記縦桟を挿通する筒状の挿通部、及び該挿通部から突出して前記横桟に形成された底壁の一方の端部を係止する突出片をもつ保持部材と、該横桟の該底壁の他方の端部を係止する係止片及び該挿通部に保持される被保持部をもつ止め部材と、該止め部材の該被保持部との間で該縦桟を挟持する押圧部材とを有し、
前記保持部材の前記突出片と前記止め部材の前記係止片とで前記横桟の前記底壁を挟持して、該止め部材の前記被保持部、該保持部材の前記挿通部、前記縦桟及び前記押圧部材にそれぞれ形成された孔にボルトを挿通し、該押圧部材に固定されたナットで締め付けることを特徴とする。
【手続補正３】
【補正対象書類名】明細書
【補正対象項目名】００１０
【補正方法】変更
【補正の内容】
【００１０】
（２）前記止め部材の前記被保持部に形成された前記孔は、丸孔であることが好ましい。
【手続補正４】
【補正対象書類名】明細書
【補正対象項目名】００１５
【補正方法】変更
【補正の内容】
【００１５】
（４）前記薄板に形成された孔の内周面には、雌ねじ部が形成されていることが好ましい。
【手続補正５】
【補正対象書類名】明細書
【補正対象項目名】００２４
【補正方法】変更
【補正の内容】
【００２４】
（８）前記屋根材は、和瓦、洋瓦などの瓦材であり、
更に、瓦屋根の垂木間に架設され、長手方向に延びる係止スリットをもつ複数の基盤プレートと、頭部が該基盤プレートの該係止スリットに固定されねじ部が瓦の頂部から突出した支柱ボルト群を備え、
該支柱ボルト群の各ねじ部には、該瓦から浮いた状態で前記縦桟及び前記横桟が固定されていることが好ましい。
【手続補正６】
【補正対象書類名】明細書
【補正対象項目名】００２７
【補正方法】変更
【補正の内容】
【００２７】
（９）前記支柱ボルトは、前記基盤プレートの前記係止スリットの下側に位置する前記頭部と該係止スリットを貫通した前記ねじ部に螺合したナットとで該基盤プレートを挟持することにより固定されることが好ましい。
【手続補正７】
【補正対象書類名】明細書
【補正対象項目名】００２８
【補正方法】変更
【補正の内容】
【００２８】
（１０）前記縦桟は、前記支柱ボルトの前記ねじ部が挿通される貫通孔をもち、該縦桟は該ねじ部に螺合した２個のナット間に固定保持されることが好ましい。支柱ボルトのねじ部に螺合された２個のナットにより、各支柱ボルトへの荷重が均等にかかるように縦桟と横桟の高さを調整でき、基本土台となる井桁状ラックの鋼性を確保しつつ、瓦屋根の平面的不均一性を吸収し、更には屋根上架台装置に取り付けられる太陽光発電パネルなどの器具の表面の均一性を達成している。
【手続補正８】
【補正対象書類名】図面
【補正対象項目名】図１４
【補正方法】変更
【補正の内容】
【図１４】
0003160551.tif 000017